(57)【特許請求の範囲】
【請求項１】
複数の指向性アンテナと複数の無線通信装置が互いに接続され、移動機と通信を行う複数の無線基地局に記録された情報を基に、前記指向性アンテナの接続方向を検出するアンテナ接続方向検出装置であって、
前記各無線基地局の緯度・経度と、前記各無線基地局に設置された各指向性アンテナの指向方向とを含む基地局データを格納する記憶部と、
前記複数の無線基地局のうち集計対象となる無線基地局から、当該集計対象の無線基地局と他の無線基地局間の通信記録を示すハンドオフ情報を収集する収集部と、
前記収集部の収集したハンドオフ情報と前記基地局データとを基に、前記集計対象の無線基地局を緯度・経度の座標軸上の起点とし、ハンドオフ先の無線基地局を前記緯度・経度の座標軸上の終点として、前記起点と前記終点とを結ぶベクトルの方向を、前記集計対象の無線基地局に設置された指向性アンテナ毎に算出する方向算出部と、
前記方向算出部の算出した各方向と、前記集計対象の無線基地局に設置された各指向性アンテナについて設定された方向判定基準値とを比較し、前記方向算出部の算出した各方向が、前記方向判定基準値の範囲内にあるか否かを判定する方向判定部と、を有することを特徴とするアンテナ接続方向検出装置。
【請求項２】
請求項１に記載のアンテナ接続方向検出装置であって、
前記方向算出部の算出結果を基に前記集計対象の無線基地局に設置された指向性アンテナの指向順を判定する指向順判定部を有し、
前記指向順判定部は、
前記集計対象の無線基地局に設置された複数の指向性アンテナのうち、基準となる指向性アンテナについて算出された方向と、他の各指向性アンテナについて算出された方向との差を基に、前記基準となる指向性アンテナを基準として前記他の指向性アンテナ間の配列方向の順番を示す指向順を算出し、前記算出した指向順と指向順判定基準値とを比較し、前記算出した指向順が前記指向順判定基準値に適合するか否かを判定することを特徴とするアンテナ接続方向検出装置。
【請求項３】
請求項２に記載のアンテナ接続方向検出装置であって、
前記指向順判定基準値は、
前記集計対象の無線基地局に設置された各指向性アンテナのうち、前記基準となる指向性アンテナの指向方向と、他の各指向性アンテナの指向方向との差から設定された順番であって、前記基準となる指向性アンテナを基準として前記他の指向性アンテナ間の配列方向の順番として規定された値であるアンテナ接続方向検出装置。
【請求項４】
請求項２に記載のアンテナ接続方向検出装置であって、
前記方向判定部の判定結果と前記指向順判定部の判定結果を基に、前記集計対象の無線基地局の各指向性アンテナと各無線通信装置が誤接続されているか否かを判定するテレコ状態判定部を有することを特徴とするアンテナ接続方向検出装置。
【請求項５】
請求項４に記載のアンテナ接続方向検出装置であって、
前記テレコ状態判定部は、
前記指向順判定部の判定結果が、肯定である場合、前記方向判定部の判定結果が全て否定である以外は、前記集計対象の無線基地局の各指向性アンテナが、正常状態であると判定し、前記指向順判定部の判定結果が、否定である場合、前記方向判定部の判定結果が、肯定または否定であっても、前記集計対象の無線基地局の各指向性アンテナが、テレコ状態にあると判定することを特徴とするアンテナ接続方向検出装置。
【請求項６】
複数の指向性アンテナと複数の無線通信装置が互いに接続され、移動機と通信を行う複数の無線基地局に記録された情報を基に、前記指向性アンテナの接続方向を検出するアンテナ接続方向検出方法であって、
前記各無線基地局の緯度・経度と、前記各無線基地局に設置された各指向性アンテナの指向方向とを含む基地局データを格納する記憶ステップと、
前記複数の無線基地局のうち集計対象となる無線基地局から、当該集計対象の無線基地局と他の無線基地局間の通信記録を示すハンドオフ情報を収集する収集ステップと、
前記収集ステップで収集したハンドオフ情報と前記基地局データとを基に、前記集計対象の無線基地局を緯度・経度の座標軸上の起点とし、ハンドオフ先の無線基地局を前記緯度・経度の座標軸上の終点として、前記起点と前記終点とを結ぶベクトルの方向を、前記集計対象の無線基地局に設置された指向性アンテナ毎に算出する方向算出ステップと、
前記方向算出ステップで算出した各方向と、前記集計対象の無線基地局に設置された各指向性アンテナについて設定された方向判定基準値とを比較し、前記方向算出部の算出した各方向が、前記方向判定基準値の範囲内にあるか否かを判定する方向判定ステップと、を有することを特徴とするアンテナ接続方向検出方法。
【請求項７】
請求項６に記載のアンテナ接続方向検出方法であって、
前記方向算出ステップでの算出結果を基に前記集計対象の無線基地局に設置された指向性アンテナの指向順を判定する指向順判定ステップを有し、
前記指向順判定ステップでは、
前記集計対象の無線基地局に設置された複数の指向性アンテナのうち、基準となる指向性アンテナについて算出された方向と、他の各指向性アンテナについて算出された方向との差を基に、前記基準となる指向性アンテナを基準として前記他の指向性アンテナ間の配列方向の順番を示す指向順を算出し、前記算出した指向順と指向順判定基準値とを比較し、前記算出した指向順が前記指向順判定基準値に適合するか否かを判定することを特徴とするアンテナ接続方向検出方法。
【請求項８】
請求項７に記載のアンテナ接続方向検出方法であって、
前記指向順判定基準値は、
前記集計対象の無線基地局に設置された各指向性アンテナのうち、前記基準となる指向性アンテナの指向方向と、他の各指向性アンテナの指向方向との差から設定された順番であって、前記基準となる指向性アンテナを基準として前記他の指向性アンテナ間の配列方向の順番として規定された値であるアンテナ接続方向検出方法。
【請求項９】
請求項７に記載のアンテナ接続方向検出方法であって、
前記方向判定ステップでの判定結果と前記指向順判定ステップでの判定結果を基に、前記集計対象の無線基地局の各指向性アンテナと各無線通信装置が誤接続されているか否かを判定するテレコ状態判定ステップを有することを特徴とするアンテナ接続方向検出方法。
【請求項１０】
請求項９に記載のアンテナ接続方向検出方法であって、
前記テレコ状態判定ステップでは、
前記指向順判定ステップでの判定結果が、肯定である場合、前記方向判定ステップでの判定結果が全て否定である以外は、前記集計対象の無線基地局の各指向性アンテナが、正常状態であると判定し、前記指向順判定ステップでの判定結果が、否定である場合、前記方向判定ステップでの判定結果が、肯定または否定であっても、前記集計対象の無線基地局の各指向性アンテナが、テレコ状態にあると判定することを特徴とするアンテナ接続方向検出方法。
【発明の詳細な説明】
【技術分野】
【０００１】
本発明は、複数の指向性アンテナと複数の無線通信装置を有する無線基地局に記録された情報を基に、無線基地局に設置された指向性アンテナの接続方向を検出するアンテナ接続方向検出装置及びその方法に関する。
【背景技術】
【０００２】
移動体通信システムの無線基地局の配置には、一般的に「セル方式」と呼ばれる方式が用いられる（非特許文献１参照）。セル方式とは、当該移動体通信システムに割り当てられた無線周波数帯域を効率良く利用する為、電波の到達範囲を一定エリアに留めた無線基地局を多数配置し、隣接する無線基地局同士に異なる周波数帯域を割り当てながら、離れた無線基地局に同じ周波数帯域を繰り返し割り当てて利用することで、周波数の利用効率を高める方式である。
【０００３】
セルの配置の決定をセル設計といい、携帯電話のセル設計は、正六角形のセルによる配置が一般的である。また正六角形によるセルを複数に分割し、分割された各セルに指向性アンテナ(特定の方向に特に利得が高いアンテナ)を用いる構成を「セクタ構成」と呼び、セルを3分割する３セクタ構成またはセルを６分割する6セクタ構成が一般的である。
【０００４】
3セクタ構成では、1つの基地局には、無線通信装置と指向性アンテナのセットが3セット設置される。これらの3セットのセクタを、真北から「セクタ１」、「セクタ２」、「セクタ３」と呼び、指向性アンテナの一番利得が高い方向を指向方向と呼ぶこととする。この際、真北を0度とし、東を90度、南を180度、西を270度として表す。また、1本の指向性アンテナから放射する電波が到来している範囲を「カバーエリア」と呼ぶこととする。
【０００５】
無線通信装置とアンテナは、基本的には１対１の構成になる。また、それらの接続にはケーブルが使用される。3セクタ構成の場合は、3つの無線通信装置と、それに対する3本のアンテナをケーブルで接続するが、一般的にその接続作業は、その他の複数のケーブル接続作業と共に人の手によって実施されている。
【０００６】
無線通信装置とアンテナの接続には、目視による確認や接続セクタ番号を記載したテープをケーブル両端に張り付ける等、接続を誤らないための方法が取られる。しかし、目視確認の不徹底や、セクタ番号テープの貼り付け誤りにより、無線通信装置とアンテナとが仕様通りに接続されず、誤ったもの同士が接続されるケースがある。これらの誤接続を「テレコ状態」と呼ぶこととする。
【０００７】
テレコ状態では、セクタ別に無線通信装置にて設定されている報知情報が、意図したセクタのカバーエリアに報知されずに、別のセクタのカバーエリアに報知されることになる。また、報知情報には、ハンドオフ（最も良好な通信が期待できる基地局を選択し、通信の引き継ぎを行う）を実施する為の周辺基地局情報の設定があり、各セクタのカバーエリア毎に周辺基地局情報が設定されている。
【０００８】
移動機は、その報知情報を元に周辺基地局の電波を検出し、ハンドオフ可能な基地局の電波を検出した際に、ハンドオフを実施するため、テレコ状態でカバーエリアの報知情報が異なっている場合、異なるセクタのカバーエリアの周辺基地局情報を元に周辺基地局の電波を検出することとなる。移動機は、周辺基地局情報にない基地局は検出しないため、設計上、意図した周辺基地局からの電波が強く飛来していても、当該基地局が周辺基地局情報に含まれていないテレコ状態においては、当該基地局を周辺基地局として検出せず、当該基地局へのハンドオフが出来ない状態となる。一般的に、移動体通信システムでは、通信している電波以外の電波は、当該通信に支障を与える干渉波となり、干渉波が強い状態でハンドオフが出来ない状態が継続すると、通信が切断される等、サービス品質が低下する可能性がある。
【０００９】
こうした課題を防止するために、移動通信事象者は、個別のセクタ毎に保守・監視装置に蓄えられた統計データを時間をかけて詳細に分析し、分析結果を基にテレコ状態が疑われる基地局を抽出した場合には、当該基地局の設置場所へ出向いてテレコ状態の有無を確認し、確認した内容に応じて対応するといった方法を採用している。
【先行技術文献】
【非特許文献】
【００１０】
【非特許文献１】3GPP  TS  23.009  6.1  Procedure  for  Intra-MSC  Handovers
【発明の概要】
【発明が解決しようとする課題】
【００１１】
テレコ状態により呼切断が多数発生する場合には、無線装置の保守・監視装置(通信の状態を監視する装置)などで、切断数の統計データを取得することにより当該テレコ状態の検出が可能である。しかし、実際のカバーエリアでは、ハンドオフせずに終了する通信や、たまたま設定されている周辺基地局情報にてハンドオフ出来る通信が多く、切断までに至る通信が少ない為、統計データを用いて全てのテレコ状態を検出することは困難である。また、統計データからテレコ状態を検出できる場合であっても、切断がテレコ状態による切断か、他の要因(周辺基地局情報の設定漏れなど)による切断かを識別するためには、個別のセクタ毎に切断数やハンドオフ傾向等を集計し、詳細に解析する必要があるため、多くの時間と工数を要する。
【００１２】
また、基地局設置位置周辺において、移動機など電波を捕捉できる機器を使用してアンテナから出ている電波を捕捉し、当該アンテナが放射する電波の報知情報が、設計上意図したセクタのものであるかを確認することによってテレコ状態を検出する方法も考えられる。しかしながら、測定に関しては、基地局設置位置への移動と人員の稼働が必要な為、コストと時間が掛かる。また、テレコ状態になる基地局は少ない為、通信事業者が保有する数万もの基地局すべてを調査するのは非現実的である。
【００１３】
本発明は、複数の指向性アンテナと複数の無線通信装置を有する無線基地局に記録される情報を基に、各指向性アンテナの接続方向を正確に検出することができるアンテナ接続方向検出装置及びその方法を提供することにある。
【課題を解決するための手段】
【００１４】
前記課題を解決するために、本発明は、複数の指向性アンテナと複数の無線通信装置が互いに接続された無線基地局に記録されたハンドオフ情報と、前記無線基地局の緯度・経度と、前記各指向性アンテナの指向方向とを含む基地局データを基に、前記無線基地局を緯度・経度の座標軸上の起点とし、ハンドオフ先の無線基地局を前記緯度・経度の座標軸上の終点として、前記起点と前記終点とを結ぶベクトルの方向を、前記指向性アンテナ毎に算出し、前記算出した各方向と、前記各指向性アンテナについて設定された方向判定基準値とを比較し、前記方向算出部の算出した各方向が、前記方向判定基準値の範囲内にあるか否かを判定することを特徴とする。
【発明の効果】
【００１５】
本発明によれば、無線基地局に設置される各指向性アンテナの接続方向を正確に検出することができる。
【図面の簡単な説明】
【００１６】
【図１】移動体通信システムの構成図である。
【図２】ゲートウェイ装置と表示装置との関係を示す構成図である。
【図３】基地局管理テーブルの構成図である。
【図４】集計対象基地局リストとハンドオフ情報の取得期間を表示するための表示画面の構成図である。
【図５】ハンドオフ情報管理テーブルの構成図である。
【図６】ベクトルデータ管理テーブルの構成図である。
【図７】算出情報管理テーブルの構成図である。
【図８】移動体通信システムの処理を説明するためのフローチャートである。
【図９】ベクトルの表示例を示す画面構成図である。
【図１０】指向方向判定処理を説明するためのフローチャートである。
【図１１】判定結果管理テーブルの構成図である。
【図１２】指向方向・指向順判定パターンの構成図である。
【図１３】指向順判定方法を説明するためのフローチャートである。
【図１４】ハンドオフデータの収集からテレコ判定までの処理を説明するまでのフローチャートである。
【図１５】判定結果管理テーブルの構成図である。
【図１６】３セクタ構成の設計状態とテレコ状態を説明するための構成図である。
【図１７】３セクタ構成の設計状態とテレコ状態を説明するための構成図である。
【図１８】判定結果管理テーブルの構成図である。
【図１９】集計データ管理画面の構成図である。
【発明を実施するための形態】
【００１７】
（第１実施例）
以下、本発明の第１実施例を図面に基づいて説明する。図１は、移動体通信システムの構成図である。図１において、移動体通信システムは、ゲートウェイ装置１０と、複数の無線基地局（以下、基地局と称することがある。）２０、２２と、移動機３０と、データベース４０から構成される。各基地局２０、２２は、例えば、３セクタ構成の指向性アンテナと、無線通信装置（いずれも図示せず）を有し、無指向性アンテナのカバーエリア内に存在する移動機３０と通信を行い、移動機３０の通信記録を示すハンドオフ情報をゲートウェイ装置１０に送信する。
【００１８】
例えば、移動機３０が、基地局２０から基地局２２へハンドオフした際には、基地局２２は、ゲートウェイ装置１０に対して、移動機３０が、基地局２０から基地局２２へのハンドオフが成功したことを示す報知情報１００を用いて伝達する。ゲートウェイ装置１０は、報知情報１００を受信した際に、受信した報知情報１００を、ハンドオフ情報として、データベース４０に随時記録する。なお、ゲートウェイ装置１０は、データベース４０の容量に応じてハンドオフ情報を順次削除する。
【００１９】
図２は、ハンドオフ情報を表示するための表示装置の構成図である。図２において、表示装置５０は、データベース４２、４４を有し、ゲートウェイ装置１０と情報の授受を行う。ゲートウェイ装置１０が、データベース４０に記録されたハンドオフ情報を、例えば、ネットワークが輻輳していない時間帯または決められた時間帯に表示装置５０に送信した場合、表示装置５０は、ゲートウェイ装置５０から送信されたハンドオフ情報を受信し、受信したハンドオフ情報をデータベース４２に格納する。なお、ゲートウェイ装置１０は、表示装置５０から、最新のハンドオフ情報の送信要望があった場合には、データベース４０に記録されたハンドオフ情報を随時表示装置５０に送信する。この際、表示装置５０は、データベース４２の容量に応じて、古いハンドオフ情報から順次削除する。またデータベース４４には、使用者の入力による基地局管理テーブルなどの情報が格納される。
【００２０】
表示装置５０は、CPU（Central  Processing  Unit）、入出力インタフェース、メモリなどを有するコンピュータ装置で構成されており、データベース４２、４４に記録された情報を表示することができる。
【００２１】
図３は、データベース４４に記録される基地局管理テーブルの構成図である。図３において、基地局管理テーブル２００は、基地局２０、２２に設置される指向性アンテナと無線通信装置との接続関係などを管理するためのケーブルであって、基地局名２０２と、セクタ番号２０４と、緯度２０６と、経度２０８と、指向方向２１０と、ビーム幅２１２から構成される。基地局名２０２には、基地局２０、２２などを特定する識別子が格納される。セクタ番号２０４には、各基地局２０、２２に設置される無指向性アンテナのセクタ番号が格納される。
【００２２】
この際、各基地局２０、２２の指向性アンテナが３セクタ構成である場合には、セクタ番号として、「１」〜「３」の番号が格納される。緯度２０６には、各基地局２０、２２が設置される場所の緯度に関する情報が格納され、経度２０８には、各基地局２０、２２が設置される場所の経度に関する情報が格納される。指向方向２１０には、各基地局２０、２２に設置される各指向性アンテナの１番利得が高い方向を示す情報が格納される。この際、指向方向２１０は、真北を０度とし、東を９０度、南１８０度、西を２７０度として表される。ビーム幅２１２には、指向性アンテナの水平方向で利得が、１番高い値から１番高い値の半分までの値になっている範囲の角度に関する情報が格納される。
【００２３】
図４は、集計対象基地局の入力とハンドオフ情報取得期間の設定を行うための表示画面の構成図である。図４において、表示装置５０の表示画面３００は、指向方向を確認したい集計対象基地局リスト表示領域３０１と、集計に使用するハンドオフ情報の取得期間を入力する入力領域３０２から構成される。
【００２４】
集計対象基地局の入力と、ハンドオフ情報取得期間の設定を行うに際して、使用者は、指向方向を確認したい集計対象基地局名を、集計対象基地局リスト表示領域３０１に登録することで、集計対象の基地局が指定される。この登録方法としては、まず、使用者が、基地局名入力ボックス３０３に、基地局名の一部を入力し、検索ボタン３０４を操作すると、データベース４４に記録された基地局名２０２の中から、その一部が一致する基地局名候補が表示される。その後、使用者が、基地局名候補の中から対象基地局を選択すると、基地局名入力ボックス３０３に、対象局の基地局名が表示される。このとき、使用者が、追加ボタン３０５を押すことで、集計対象基地局リスト表示領域３０１の中の集計対象基地局リストに、基地局名が追加される。
【００２５】
また、使用者が、エリア追加ボタン３０６を押して、対象とする場所の範囲をポリゴンなどを使用して指定すると、データベース４４に記録された緯度２０６、経度２０８の中から、指定された緯度・経度の範囲に含まれる全ての基地局名候補が、集計対象基地局リスト表示領域３０１に表示される。
【００２６】
次に、使用者が、集計に使用するハンドオフ情報の取得期間を、データ取得開始日３０７、データ取得開始時間３０８、データ取得終了日３０９、データ取得終了時間３１０に入力すると、ハンドオフ情報の取得期間が指定される。
【００２７】
データ取得開始日３０７とデータ取得終了日３０９は、使用者が、直接入力することができる。また、定期的にハンドオフを集計したい場合には、使用者が、定期的に集計した周期に合わせて、定期集計ボタン３１１を選択することで、データ取得開始日３０７とデータ取得終了日３０９が自動で設定される。
【００２８】
また、データ取得開始時間３０８と、データ取得終了時間３１０は、使用者が直接入力することができる。また、１日（００：００〜２３：５９）のデータを取得したい場合には、使用者が、データ取得期間ボタン３１２の１日のボタンを押すことで、データ取得開始時間３０８に、００：００が入力され、データ取得終了時間３１０には、２３：５９が入力される。
【００２９】
また使用者が、データ取得開始時間３０８を入力し、データ取得期間ボタン３１２のうちいずれかの時間のボタンを押すことで、データ取得終了時間３１０には、データ取得開始時間３０７から、データ取得期間ボタン３１２のうち操作されたX時間（１ｈ〜２４ｈ）がプラスされた時間が自動で入力される。なお、２４時を超える場合は、日付も変更される。また使用者が、データ取得終了時間３１０を入力し、データ取得期間ボタン３１２のうち、いずれかの時間を押すことで、データ取得終了時間３１０には、データ取得開始時間３０８からX時間（１ｈ〜２４ｈ）がマイナスされたた時間が自動で入力される。なお、０時を超える場合には、日付も変更される。
【００３０】
最後に、使用者は、設定名入力欄３１３にデータ保存名を入力し、保存ボタン３１４を押すことで、使用者の操作による設定条件が表示装置５０に保存される。
【００３１】
この際、表示装置５０は、データ取得終了日３０９とデータ取得終了時間３１０が、表示装置５０の時刻よりも過去の時刻であれば、データ集計の処理を開始する。その際に、表示装置５０は、データベース４２に該当時間のハンドオフ情報が存在しない場合には、ゲートウェイ装置１０に対して、ハンドオフ情報の転送を依頼するメッセージを送信する。メッセージを受信したゲートウェイ装置１０は、データベース４０から、ハンドオフ情報を読み出し、読み出したハンドオフ情報を表示装置５０に送信する。この後、表示装置５０は、ゲートウェイ装置１０から転送されたハンドオフ情報を基にデータ集計の処理を開始する。
【００３２】
一方、データ取得終了日３０９とデータ取得終了時間３１０が、表示装置５０の時刻よりも未来の時刻である場合には、表示装置５０は、データ集計の処理を保留状態とし、データ取得終了日３０９のデータ取得終了時間３１０を過ぎ、データベース４２の情報が更新されたタイミングでデータ集計の処理を開始する。
【００３３】
図５は、ハンドオフ情報管理テーブルの構成図である。図５において、ハンドオフ情報管理テーブル４００は、データベース４２に記録されたハンドオフ情報を基に、集計対象基地局リストに登録された基地局と、ハンドオフした先の基地局との関係を管理するためのテーブルであって、確認基地局名４０２と、セクタ番号４０４と、ハンドオフ先の基地局名４０６と、ハンドオフした回数４０８から構成される。
【００３４】
確認基地局名４０２には、集計対象基地局リストに登録された基地局名が入力される。セクタ番号４０４には、図３の基地局管理テーブル２００の基地局名２０２に登録された基地局名と、集計対象基地局リストに登録された基地局名とが一致する基地局名に対応するセクタ番号が入力される。
【００３５】
ハンドオフ先の基地局名４０６には、確認基地局名４０２と確認基地局のセクタ番号４０４との組み合わせであって、データベース４２に記録されたハンドオフ情報のうちハンドオフする前の基地局名２０２と、セクタ番号２０４との組み合わせが一致する基地局名が入力される。
【００３６】
ハンドオフした回数４０８には、確認基地局が、ハンドオフ先の基地局とハンドオフした回数が格納される。この際、ハンドオフした先の基地局毎に、ハンドオフした回数をデータ取得開始日３０７のデータ取得開始時間３０８からデータ取得終了日３０９のデータ取得終了時間３１０まで集計した回数が入力される。
【００３７】
図６は、ベクトルデータ管理テーブルの構成図である。図６において、ベクトルデータ管理テーブル５００は、確認基地局を緯度・経度の座標軸上の起点とし、ハンドオフ先の基地局を緯度・経度の座標軸上の終点として、起点と終点とを結ぶベクトルのベクトルデータを管理するためのデータであって、確認基地局名５０２と、セクタ番号５０４と、ハンドオフ先の基地局名５０６と、大きさ５０８と、方向５１０から構成される。確認基地局名５０２は、確認基地局名４０２と同様であり、セクタ番号５０４は、セクタ番号４０４と同様である。ハンドオフ先の基地局名５０６は、ハンドオフ先の基地局名４０６と同様である。
【００３８】
大きさ５０８は、図５のハンドオフした回数４０８と同一の値を示し、ベクトルデータの大きさである。
【００３９】
方向５１０は、確認基地局を緯度・経度の座標軸上の起点とし、ハンドオフ先の基地局を緯度・経度の座標軸上の終点として、起点と終点とを結ぶベクトルの方向である。
【００４０】
緯度・経度から方向を算出する方法は、確認基地局の緯度・経度を（経度x１、緯度y１）、ハンドオフ先の基地局の緯度・経度を（経度x２、緯度y２）とすると、方向は、９０-（atan２）sin（x２-x１）、cos（y１）×tan（y２）-sin(ｙ１)×cos（x２-x１））となる。なお、方向５１０は、真北を０度とし、東を９０度、南を１８０度、西を２７０度として表される。
【００４１】
図７は、算出情報管理テーブルの構成図である。図７において、算出情報管理テーブル６００は、図６のベクトルデータから、対象基地局のセクタ毎に合成した合成ベクトルのデータを管理するためのテーブルであって、確認基地局名６０２と、セクタ番号６０４と、大きさ６０６と、方向６０８から構成される。
【００４２】
確認基地局名６０２は、確認基地局名５０２と同様であり、セクタ番号６０４は、セクタ番号５０４と同様である。大きさ６０６は、図６に示す各セクタのベクトルデータ（大きさ５０８と方向５１０を含むベクトルデータ）のうち、確認基地局名５０２が同一であって、セクタ番号５０４が同一のベクトルデータをセクタ毎に合成して得られた合成ベクトルの大きさである。すなわち、３セクタ分のベクトルデータを１つの合成ベクトルデータとしてまとめたときの大きさである。方向６０８は、３セクタ分の合成ベクトルを求めたときの合成ベクトルの方向である。この際、方向６０８は、真北を０度とし、東を９０度、南を１８０度、西を２７０度として表される。
【００４３】
図８は、移動体通信システムの処理を説明するためのフローチャートである。図８において、ゲートウェイ装置１０は、基地局２０、２２からハンドオフ情報を収集し、収集したハンドオフ情報をリアルタイムにデータベース４０に記録する（S１１）。次に、ゲートウェイ装置１０は、定期的に表示装置５０のデータベース４２へデータベース４０のデータを転送する（S１２）。
【００４４】
次に、表示装置５０のCPUは、データベース４２からセクタ毎にデータを集計し、集計したデータをハンドオフ情報管理テーブル４００に記録する（S１３）。
【００４５】
次に、表示装置５０のCPUは、データベース４４に記録された基地局データ（基地局管理テーブル２００に記録されたデータ）を入力し（S１４）、入力した基地局データと、ステップS１３で集計したデータとを基に、ベクトルデータを作成する（S１５）。
【００４６】
次に、CPUは、ベクトルデータをセクタ毎に合成し、合成したベクトルデータを合成ベクトルデータとして作成し、作成したベクトルデータの大きさと方向をそれぞれベクトルデータ管理テーブル５００に記録する（S１６）。
【００４７】
次に、CPUは、ステップS１５で作成したベクトルデータと、ステップS１６で作成した合成ベクトルをそれぞれグラフ化するための処理を行って保存し（S１７）、このルーチンでの処理を終了する。
【００４８】
図９は、ベクトルデータの表示例を示す構成図である。図９において、ベクトル３５１は、図６に示すベクトルデータのうち、確認基地局名５０２が「A」であって、セクタ番号５０４が、「１」であるベクトルデータから得られたベクトルである。ベクトル３５２は、確認基地局名５０２が、「A」であって、セクタ番号５０４が、「２」のベクトルデータから得られたベクトルである。ベクトル３５３は、確認基地局名が「A」であって、セクタ番号５０４が、「３」のベクトルデータから得られたベクトルである。
【００４９】
ベクトル３６１は、図７に示すベクトルデータ（大きさ６０６と方向６０８を含むベクトルデータ）のうち、確認基地局名６０２が、「A」であって、セクタ番号６０４が、「１」のベクトルデータから得られたベクトルである。ベクトル３６２は、確認基地局名６０２が、「A」であって、セクタ番号６０４が、「２」であるベクトルデータから得られたベクトルである。ベクトル３６３は、確認基地局名６０２が、「A」であって、セクタ番号６０４が、「３」であるベクトルデータから得られたベクトルである。
【００５０】
図１０は、指向方向判定処理を説明するためのフローチャートである。この処理は、算出された方向が妥当であるか否かを判定するための処理である。
【００５１】
表示装置５０のCPUは、例えば、確認基地局＝Aのセクタ毎の指向方向を判定するに際して、まず、算出情報管理テーブル６００を参照し、確認基地局名６０２が、「A」であって、セクタ番号６０４が、「１」と一致する行から、方向６０８の値を取得する（S２１）。
【００５２】
次に、CPUは、設計値を取得するに際して、基地局管理テーブル２００を参照し、基地局名２０２が、「A」であって、セクタ番号２０４が、「１」の行から、指向方向２１０の値と、ビーム幅２１２の値を取得する（S２２）。
【００５３】
次に、CPUは、指向方向の最小値を算出するに際して、指向方向の最小値＝指向方向２１０-（ビーム幅２１２÷２）を算出する（S２３）。
【００５４】
次に、CPUは、指向方向の最大値を算出するに際して、指向方向の最大値＝指向方向２１０＋（ビーム幅２１２÷２）を算出する（S２４）。
【００５５】
次に、CPUは、算出した最小値が０以下で、かつ算出した方向が最大値以上であるか否かを判定する（S２５）。ステップS２５で肯定の判定結果を得た場合、CPUは、算出した方向を、方向＝方向−３６０として算出し（S２６）、ステップS２９の処理に移行する。
【００５６】
一方、ステップS２５で否定の判定結果を得た場合、CPUは、算出した最大値が３６０以上で、算出した方向が最小値以下であるか否かを判定する（S２７）。即ち、最小値が０より小さく、且つ方向が最大値よりも大きい場合には、方向から３６０を引き算し、最大値が３６０よりも大きく、且つ方向が最小値よりも小さい場合には、方向に３６０を足し算する。
【００５７】
ステップS２７で肯定の判定結果を得た場合、CPUは、算出した方向を、方向＝方向＋３６０として算出し（S２８）、ステップS２９の処理に移行する。
【００５８】
ステップS２９で否定の判定結果を得た場合、CPUは、算出した最小値が、算出した方向以下で且つ、算出した方向が、算出した最大値以下であるか否かを判定する（S２９）。ステップS２９で肯定の判定結果を得た場合、CPUは、算出した方向が、方向判定基準値の範囲内であるとして、OKの判定結果を出力し（S３０）、このルーチンでの処理を終了する。
【００５９】
一方、ステップS２９で、否定の判定結果を得た場合、CPUは、算出した方向が、方向判定基準値の範囲外であるとして、NGの判定結果を出力し（S３１）、このルーチンでの処理を終了する。
【００６０】
図１１は、判定結果管理テーブルの構成図である。図１１において、判定結果管理テーブル７００は、確認基地局のセクタ毎の指向方向の判定結果を管理するためのテーブルであって、確認基地局名７０２と、セクタ番号７０４と、方向７０６と、最小値７０８と、最大値７１０と、判定７１２から構成される。
【００６１】
確認基地局名７０２は、確認基地局名６０２と同様であり、セクタ番号７０４は、セクタ番号６０４と同様である。方向７０６は、算出情報管理テーブル６００の方向６０８と同様である。
【００６２】
最小値７０８は、方向判定基準値の範囲の下限を規定する値であり、最大値７１０は、方向判定基準値の範囲の上限を規定する値である。最小値７０８と最大値７１０は、基地局管理テーブル２００の指向方向２１０と、ビーム幅２１２の値を基に予め設定される。
【００６３】
判定７１２は、方向７０６に登録された値が、最小値７０８と最大値７１０の範囲内にあるか否かを示す判定結果である。方向７０６に登録された値が、方向判定基準値から外れた場合には、判定７１２には、「NG」が格納され、方向７０６に登録された値が、方向判定基準値内にある場合には、判定７１２には、「OK」が格納される。
【００６４】
本実施例において、表示装置５０は、複数の基地局２０、２２を管理対象として、基地局に設置された指向性アンテナの接続方向を検出するアンテナ接続方向検出装置として機能する。データベース４４は、各基地局２０、２２の緯度・経度と、各基地局に設置された各指向性アンテナの指向方向及びビーム幅とを含む基地局データを格納する記憶部として機能する。
【００６５】
表示装置５０のCPUは、複数の基地局２０、２２のうち、集計対象となる基地局から、当該集計対象の基地局と他の基地局間の通信記録を示すハンドオフ情報を収集する収集部と、収集部の収集したハンドオフ情報とハンドオフ情報を基に、集計対象の基地局を緯度・経度の座標軸上の起点とし、ハンドオフ先の基地局を緯度・経度の座標軸上の終点として、起点と終点とを結ぶベクトルの方向を、集計対象の基地局に設置された指向性アンテナ毎に算出する方向算出部と、方向算出部の算出した各方向と、集計対象の基地局に設置された各指向性アンテナについて設定された方向判定基準値とを比較し、方向算出部の算出した各方向が、方向判定基準値の範囲内にあるか否かを判定する方向判定部として機能する。
【００６６】
本実施例によれば、基地局に設置される各指向性アンテナの接続方向を正確に検出することができる。
【００６７】
（第２実施例）
本実施例は、各基地局の指向性アンテナの方向を判定するだけではなく、３セクタ以上の基地局に関して、各アンテナの指向方向の順番を判定するものである。
【００６８】
図１２は、指向方向・指向順判定パターンの構成図である。図１２において、指向方向・指向順判定パターン１０００は、指向方向判定パターン１１０について、各セクタ毎に８パターンあり、指向順判定パターン１０２０について、２パターンある。このため、指向方向・指向順判定パターン１０００は、全てのパターンについては、１６通りとなる。また、指向方向・指向順判定パターン１０００は、テレコ判定パターン１０３０について、２パターン存在する。
【００６９】
１６通りのパターンのうち、指向方向判定パターン１０１０が、「NG」の場合には、指向方向判定パターン１０１０のパターンに関係なく、テレコ判定パターン１０３０では、「NG」となる。一方、指向順判定パターン１０２０が、「OK」であっても、指向方向判定パターン１０１０の全てのセクタが、NGのパターンである場合、テレコ判定パターン１０３０では、「NG」となる。また、それ以外のパターンについて、全てテレコ判定パターン１０３０では、「OK」となる。
【００７０】
図１３は、指向順判定処理を説明するためのフローチャートである。図１３において、表示装置５０のCPUは、例えば、確認基地局名として、「A」の指向順を判定する場合、各セクタについて、方向の算出値を取得するために、算出情報管理テーブル６００を参照し、確認基地局名６０２が、「A」と一致する行から、セクタ番号６０４の値と方向６０８の値を取得する（S４１）。
【００７１】
次に、CPUは、設計値を取得するに際して、基地局管理テーブル２００を参照し、基地局名２０２が、「A」と一致する行から、セクタ番号２０４の値と指向方向２１０の値を取得する（S４２）。
【００７２】
次に、CPUは、確認基地局の中でセクタ番号が最小値であるセクタを基準セクタとし（S４３）、基準セクタの方向から他のセクタの角度を算出する（S４４）。すなわち、CPUは、基準セクタの方向６０８の値と、他のセクタの方向６０８の値の差であって、基準セクタ以外の各セクタが、基準セクタから、時計周りに何度ずれているかの角度を算出する。
【００７３】
次に、CPUは、基準セクタの方向が、他のセクタの方向よりも小さいか否かを判定する（S４５）。ステップS４５で肯定の判定結果を得た場合、CPUは、角度＝（他のセクタの方向−基準セクタの方向）として、角度を算出し、ステップS４８の処理に移行する。
【００７４】
一方、ステップS４５で否定の判定結果を得た場合、CPUは、角度＝他のセクタの方向−（基準セクタの方向−３６０）として、角度を算出する（S４７）。
【００７５】
この際、CPUは、基準セクタの方向と他のセクタの方向とを比較し、基準セクタの方向よりも、他のセクタの方向が大きい場合は、他のセクタの方向から、基準セクタの方向を引き算して角度を算出し、一方、基準セクタの方向よりも、他のセクタの方向が小さい場合には、他のセクタの方向から、予め３６０を引いた基準セクタの方向を引き算して角度を算出する。
【００７６】
次に、CPUは、算出値順を算出するために、算出した他のセクタ毎の角度を比較し、算出した角度の小さい順にセクタを並べ、最小値の角度に対応したセクタから、順番に、算出順を示す番号を割り当てる（S４８）。
【００７７】
次に、CPUは、設計値順を算出するに際して、まず、設計値の基準セクタとして、基地局管理テーブル２００の中から、指向方向２１０の値が最小値を示すセクタ番号のセクタを基準セクタとする（S４９）。
【００７８】
この後、CPUは、基準セクタの指向方向から他のセクタの角度を算出する（S５０）。すなわち、CPUは、基準以外のセクタについて、指向方向２１０の値が基準セクタから、時計周りに何度ずれているかの角度を算出する。
【００７９】
次に、CPUは、基準セクタの指向方向が、他のセクタの指向方向よりも小さいか否かを判定する（S５１）。ステップS５１で肯定の判定結果を得た場合、CPUは、角度＝（他のセクタの指向方向−基準セクタの指向方向）として、角度を算出し（S５２）、ステップS５４の処理に移行する。
【００８０】
一方、ステップS５１で否定の判定結果を得た場合、CPUは、角度＝他のセクタの指向方向−（基準セクタの指向方向−３６０）として、角度を算出する（S５３）。すなわち、CPUは、基準セクタと他のセクタの指向方向をそれぞれ比較し、基準セクタの指向方向よりも、他のセクタの指向方向が大きい場合には、他のセクタの指向方向から、基準セクタの指向方向を引き算して角度を算出し、一方、基準セクタの指向方向よりも、他のセクタの指向方向が小さい場合には、他のセクタの指向方向から、予め３６０を引いた基準セクタの指向方向を引き算して角度を算出する。
【００８１】
次に、CPUは、設計値順を算出するに際して、ステップS５２またはステップS５３で算出した各セクタ毎の角度を比較し、角度が最小値を示すセクタ番号から順番に並べる（S５４）。
【００８２】
次に、CPUは、ステップS４８で算出した算出値順とステップS５４で算出した設計値順とが等しいか否かを判定する（S５５）。
【００８３】
ステップS５５で肯定の判定結果を得た場合、CPUは、算出値順が、指向順の判定基準値となる設計値順に等しいとして、「OK」の判定結果を出力し（S５６）、このルーチンでの処理を終了し、一方、ステップS５５で否定の判定結果を得た場合には、算出値順と設定値順が不一致であるとして、「NG」の判定結果を出力し（S５７）、このルーチンでの処理を終了する。
【００８４】
図１４は、ハンドオフデータの収集からテレコ判定までの処理を示すフローチャートである。図１４において、表示装置５０のCPUは、全ての基地局のハンドオフ情報を収集するに際して、ハンドオフ情報管理テーブル４００に記録されたハンドオフデータを収集するとともに、基地局管理テーブル２００に記録された基地局データを収集し（S６１）、収集したデータを基にセクタ毎に個別のベクトルデータを作成し（S６２）、作成された個別のベクトルデータから合成ベクトルデータを作成し（S６３）、作成した個別のベクトルデータと合成ベクトルデータを基に表示画面上にベクトル３５１〜３６３を表示する（S６４）。
【００８５】
次に、CPUは、基地局管理テーブル２００のデータとステップS６３で算出されたデータを基に指向方向を判定し、判定結果を判定結果管理テーブル７００に記録する（S６５）。
【００８６】
一方、CPUは、ステップS６３で作成した合成ベクトルデータと、基地局管理テーブル２００に登録された基地局データを基に指向順の判定を行い、判定結果を判定結果管理テーブル２００に登録する（S６６）。
【００８７】
次に、CPUは、指向方向の判定結果と指向順の判定結果及びテレコ判定マトリスク（指向方向・指向順判定パターン１０００）を基に、テレコ状態の判定を行い、判定結果を判定結果管理テーブルに登録し（S６７）、このルーチンでの処理を終了する。
【００８８】
図１５は、判定結果管理テーブルの構成図である。図１５において、判定結果管理テーブル９００は、確認基地局毎の指向順の判定結果を管理するためのテーブルであって、確認基地局名９０２と、セクタ番号９０４と、方向９０６と、指向方向９０８と、算出値順９１０と、設計値順９１２と、判定９１４から構成される。
【００８９】
確認基地局名９０２は、確認基地局名７０２と同様であり、セクタ番号９０４は、セクタ番号７０４と同様である。方向９０６は、方向７０６と同様であり、指向方向９０８は、基地局管理テーブル２００の指向方向２１０と同様である。
【００９０】
算出値順９１０は、確認基地局の中でセクタ番号が最小値であるセクタを基準セクタとし、基準セクタ以外の各セクタについて、算出された方向９０６が基準セクタから時計周りに何度ずれているかの角度を算出し、算出した角度を小さい順に並べて、並べた各セクタに、順番に２から始まる自然数を付与したときの値である。すなわち、算出値順９１０は、基準セクタと他のセクタとの方向の順番を示す指向順を示す値である。例えば、基準セクタのセクタ番号が「１」であって、他の二つのセクタのセクタ番号が、それぞれ「２」、「３」であり、セクタ２の算出角度が、セクタ３の算出角度よりも小さい場合、算出値順９１０には、「２,３」が格納される。
【００９１】
設計値順９１２は、基準セクタと他のセクタとの間の配列方向の順番について、予め設定された指向順判定基準値を示す値である。例えば、基準セクタのセクタ番号が「１」であって、他の二つのセクタのセクタ番号が、それぞれ「２」、「３」であり、各セクタをセクタ番号順に配列する場合、設計値順９１２には、「２,３」が格納される。
【００９２】
判定９１４は、算出値順９１０と設計値順９１２の値が一致するか否かの判定結果を示す値である。判定９１４には、算出値順９１０の値と設計値順９１２の値が一致する場合には、「OK」が格納され、両者が不一致であれば、「NG」が格納される。
【００９３】
図１６は、３セクタ構成の設計状態とテレコ状態を説明するための構成図である。図１６（a）では、３セクタ構成の無線通信装置（以下、無線機と称することがある。）と指向性アンテナが、それぞれ設計値通りに配置され、かつ設計値通りに接続された状態である。即ち、各無線機と各指向性アンテナがそれぞれセクタ番号順に配置され、且つ接続されている。この場合、指向性アンテナの方向判定処理でＯＫと判定され、セクタ１、２、３の指向性アンテナによるカバーエリアは、設計値通りとなる。
【００９４】
これに対して、図１６（b）では、３セクタ構成の無線機と指向性アンテナは、それぞれ設計値通りに接続されているが、セクタ１の指向性アンテナ以外の指向性アンテナは、設計値とは異なる位置に配置されている。即ち、セクタ２の指向性アンテナと、セクタ３の指向性アンテナが互いに異なる位置に配置されている。この場合、指向性アンテナの方向判定処理でＯＫと判定されても、セクタ２、３の指向性アンテナによるカバーエリアは、設計値とは異なるエリアとなり、セクタ２、３の指向性アンテナは、テレコ状態８００となる。
【００９５】
図１６（c）では、３セクタ構成の無線機と指向性アンテナは、それぞれ設計値通りに接続されているが、セクタ３の指向性アンテナ以外の指向性アンテナは、設計値とは異なる位置に配置されている。即ち、セクタ１の指向性アンテナと、セクタ２の指向性アンテナが互いに異なる位置に配置されている。この場合、指向性アンテナの方向判定処理でＯＫと判定されても、セクタ１、２の指向性アンテナによるカバーエリアは、設計値とは異なるエリアとなり、セクタ１、２の指向性アンテナは、テレコ状態８０２となる。
【００９６】
図１６（d）では、３セクタ構成の無線機と指向性アンテナは、それぞれ設計値通りに接続されているが、セクタ２の指向性アンテナ以外の指向性アンテナは、設計値とは異なる位置に配置されている。即ち、セクタ１の指向性アンテナと、セクタ３の指向性アンテナが互いに異なる位置に配置されている。この場合、指向性アンテナの方向判定処理でＯＫと判定されても、セクタ１、３の指向性アンテナによるカバーエリアは、設計値とは異なるエリアとなり、セクタ１、３の指向性アンテナは、テレコ状態８０３となる。
【００９７】
図１６（ｂ）〜（ｄ）では、各指向性アンテナは、指向順判定処理では、ＮＧと判定され、方向判定処理では、ＯＫと判定されるので、各指向性アンテナが、テレコ状態にあるか否かを判定するには、指向順判定処理の判定結果と方向判定処理の判定結果の組み合わせを判定する必要がある。
【００９８】
図１７は、３セクタ構成の設計状態とテレコ状態を説明するための他の構成図である。
【００９９】
図１７（a）では、３セクタ構成の無線機と指向性アンテナが、それぞれ設計値通りに配置され、かつ設計値通りに接続された状態である。即ち、各無線機と各指向性アンテナがそれぞれセクタ番号順に配置され、且つ接続されている。この場合、指向性アンテナの方向判定処理でＯＫと判定され、セクタ１、２、３の指向性アンテナによるカバーエリアは、設計値通りとなる。
【０１００】
図１７（b）では、各セクタの指向性アンテナが、設計値とは異なる位置に配置され、全て時計回りに１セクタずつずれて無線機の各セクタに接続されている。この場合、各セクタの指向方向の判定処理では、全て「NG」となり、各セクタの指向順の判定処理では、全て「OK」となる。但し、各セクタのテレコ判定処理は、セクタ１の指向性アンテナとセクタ２の指向性安定は、テレコ状態８０４となり、セクタ２の指向性アンテナとセクタ３の指向性アンテナは、テレコ状態８０５となる。また、セクタ３の指向性アンテナとセクタ１の指向性アンテナは、テレコ状態８０６となる。
【０１０１】
図１７（c）では、各セクタの指向性アンテナが、設計値とは異なる位置に配置され、全て反時計回りに１セクタずつずれて無線機の各セクタに接続されている。この場合、各セクタの指向方向の判定処理では、全て「NG」となり、各セクタの指向順の判定処理では、全て「OK」となる。但し、各セクタのテレコ判定処理は、セクタ１の指向性アンテナとセクタ２の指向性安定は、テレコ状態８０７となり、セクタ２の指向性アンテナとセクタ３の指向性アンテナは、テレコ状態８０８となる。
【０１０２】
図１７（ｂ）〜（ｃ）では、各指向性アンテナは、方向判定処理では、全てＮＧと判定され、指向順判定処理では、ＯＫと判定されるので、各指向性アンテナが、テレコ状態にあるか否かを判定するには、方向判定処理の判定結果と指向順判定処理の判定結果の組み合わせを判定する必要がある。
【０１０３】
図１８は、判定結果管理テーブルの構成図である。図１８において、判定結果管理テーブル１１００は、基地局毎のテレコ判定結果を管理するためのテーブルであって、確認基地局名１１０２と、セクタ番号１１０４と、方向１１０６と、指向方向１１０８と、指向方向判定１１１０と、算出値順１１１２と、設計値順１１１４と、指向順判定１１１６と、テレコ判定１１１８から構成される。
【０１０４】
確認基地局名１１０２は、確認基地局名９０２と同様であり、セクタ番号１１０４は、セクタ番号９０４と同様である。方向１１０６は、方向９０６と同様であり、指向方向１１０８は、指向方向９０８と同様である。指向方向判定１１１０は、判定結果管理テーブル７００の判定７１２と同様である。
【０１０５】
算出値順１１１２は、算出値順９１０と同様であり、設計値順１１１４は、設計値順９１２と同様である。
【０１０６】
指向順判定１１１６は、算出値順１１１２と、設計値順１１１４が一致したか否かの判定結果を示す情報であって、両者が一致した場合には、「OK」の情報が格納され、両者が不一致の場合には、「NG」の情報が格納される。
【０１０７】
テレコ判定１１１８は、指向方向判定１１１０と指向順判定１１１６を基にテレコ判定の有無を示す判定結果の情報である。このテレコ判定１１１８には、指向方向・指向順判定パターン１０００のうちテレコ判定パターン１０３０のパターンに従った結果が格納される。
【０１０８】
図１９は、集計データ管理画面の構成図である。図１９において、集計データ管理画面１２００は、使用者が、図４の画面を用いて、集計データの処理状況の確認と集計データの保存または表示・削除を行う際に用いる画面であって、チェック欄１２０２と、検索者ID１２０４と、設定名１２０６と、集計開始日１２０８と、集計開始時間１２１０と、集計完了日１２１２と、集計完了時間１２１４と、状態１２１６と、データ保存ボタン１２１８と、表示ボタン（図とデータ）１２２０と、表示ボタン（データのみ）１２２２から構成される。
【０１０９】
チェック欄１２０２には、使用者のチェックの有無に関する情報が格納される。検索者ID１２０４には、使用者に割り当てられた識別子の情報が格納される。これにより、検索者IDを確認することで、誰が集計しているかを判明することができるとともに、自分の集計データを容易に見つけることができる。
【０１１０】
設定名１２０６は、図４の設定名表示領域３１３に表示される設定名と同様である。この設定名を確認することで、設定した収集データを判別することができる。
【０１１１】
集計開始日１２０８には、集計内容を設定した後、集計が開始された日と、集計が開始された時間が表示される。なお、集計が開始されていない場合には、集計開始日１２０８には、何も表示されない。
【０１１２】
集計完了日１２１２と、集計完了時間１２１４には、集計データの算出が完了した日と、集計データが完了した時間がそれぞれ表示される。集計開始前または集計処理中の場合には、何も表示されない。
【０１１３】
状態１２１６には、集計処理の状態が表示される。この際、集計開始前なら、集計開始待ち、集計処理中は集計処理中、集計処理完了なら、正常終了、集計処理中にエラーが発生していれば、エラーが表示される。この際、CPUは、データ集計が完了した場合、データ保存ボタン１２１８の操作を受け付けるとともに、表示ボタン１２２０、表示ボタン１２２２の押し下げを受け付ける。
【０１１４】
この際、使用者が、表示されたボタンを押すことで、集計結果の保存方法を選択することができる。
【０１１５】
例えば、使用者が、データ保存ボタン１２１８を押し下げると、データがそれぞれテーブルに保存される。
【０１１６】
また、使用者が、表示ボタン１２２０を押し下げると、画面上にベクトル３５１〜３６３が表示されるとともに、判定結果管理テーブル１２００の内容が表示される。
【０１１７】
なお、使用者が、チェック欄１２０２に、チェックを入れ、保存ボタン１２２４を押すことで、チェックした集計データが保存される。
【０１１８】
また、使用者が、チェック欄１２０２に、チェックを入れ、削除ボタン１２２６を押すことで、保存された集計データが削除される。
【０１１９】
本実施例において、表示装置５０のCPUは、第１実施例における方向算出部の算出結果を基に、各基地局２０、２２に設置された各指向性アンテナの指向順を判定する指向順判定部として機能すする。この際は、指向順判定部は、集計対象の基地局に設置された複数の指向性アンテナのうち、基準となる指向性アンテナ（基準セクタ）について算出された方向と、他の各指向性アンテナ（他セクタ）について算出された方向との差を基に、基準となる指向性アンテナを基準として他の指向性アンテナ間の配列方向の順番を示す指向順を算出し、算出した指向順と指向順判定基準値とを比較し、算出した指向順が、指向順判定基準値に適合するか否かを判定する。
【０１２０】
また、設計値順は、指向順判定基準値として設定されている。この際、指向順判定基準値は、集計対象の基地局に設置された各指向性アンテナのうち、基準となる指向性アンテナの指向方向と、他の各指向性アンテナの指向方向との差から設定された順番であって、基準となる指向性アンテナを基準として、他の指向性アンテナ間の配列方向の順番として規定された値である。
【０１２１】
本実施例によれば、集計対象の基地局に設置された各指向性アンテナの指向順が正常か否かを判定することができる。
【０１２２】
また、本実施例によれば、各指向性アンテナの方向に関する判定結果と、各指向性アンテナの指向順に関する判定結果の組み合わせを基に、各指向性アンテナがテレコ状態にあるか否かを判定することができる。例えば、指向順判定処理の判定結果が、肯定（ＯＫ）である場合、方向判定処理の判定結果が全て否定（ＮＧ）である以外は、各指向性アンテナが、正常状態であると判定し、指向順判定処理の判定結果が、否定である場合、方向判定処理の判定結果が、肯定または否定であっても、各指向性アンテナが、テレコ状態にあると判定することができる。
【０１２３】
この際、統計データの分析や現地調査を行わずに、すくない工数・時間・コストで各指向性アンテナがテレコ状態にあるか否かを判定することができる。
【０１２４】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【０１２５】
また、上記の各構成、機能、処理部、処理手段等は、それらの一部又は全部を、例えば、集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid  State  Drive）等の記録装置、または、ＩＣ（Integrated  Circuit）カード、ＳＤ（Secure  Digital）メモリカード、ＤＶＤ（Digital  Versatile  Disc）等の記録媒体に記録して置くことができる。
【符号の説明】
【０１２６】
１０  ゲートウェイ装置、２０、２２  基地局、３０  移動機、４０、４２、４４  データベース、５０  表示装置、２００  基地局管理テーブル、４００  ハンドオフ情報管理テーブル、５００  ベクトルデータ管理テーブル、６００  算出情報管理テーブル、７００  判定結果管理テーブル、９００  判定結果管理テーブル、１１００  判定結果管理テーブル。
【図１】
0005696090.tif 000002
【図２】
0005696090.tif 000003
【図３】
0005696090.tif 000004
【図４】
0005696090.tif 000005
【図５】
0005696090.tif 000006
【図６】
0005696090.tif 000007
【図７】
0005696090.tif 000008
【図８】
0005696090.tif 000009
【図９】
0005696090.tif 000010
【図１０】
0005696090.tif 000011
【図１１】
0005696090.tif 000012
【図１２】
0005696090.tif 000013
【図１３】
0005696090.tif 000014
【図１４】
0005696090.tif 000015
【図１５】
0005696090.tif 000016
【図１８】
0005696090.tif 000017
【図１９】
0005696090.tif 000018
【図１６】
0005696090.tif 000019
【図１７】
0005696090.tif 000020